(57)【特許請求の範囲】
【請求項１】
隣接して設置される２枚のパネルの周縁部を支柱に支持するパネル支持装置であって、
パネル支持装置は、支柱に固定されるベース金具と、パネルの垂直方向の周縁部を挟み込んだ状態でベース金具に取り付けられるカバープレートとを備え、ベース金具は、ベース金具を支柱に固定する固定部と、前記パネルの周縁部の裏面が当接する第１当接面と前記パネルの周縁部の垂直方向の端面が当接する凸部とを備え、カバープレートは、前記パネルの周縁部の表面が当接する第２当接面を備える第１支持金具と、
支柱に固定されるベース金具と、パネルの下端角部を挟み込んだ状態でベース金具に取り付けられるカバープレートとを備え、ベース金具は、ベース金具を支柱に固定する固定部と、前記パネルの下端角部の裏面が当接する第１当接面と前記パネルの下端角部の垂直方向の端面が当接する凸部とを備え、カバープレートは、前記周縁部の表面が当接する第２の当接面を備え、ベース金具とカバープレートとの下端にはパネルの下端に当接しパネルの自重を受けるプレート片が挟み込まれる第２支持金具とからなることを特徴とするパネル支持装置。
【請求項２】
隣接して設置される２枚のパネルの周縁部を支柱に支持するパネル支持装置であって、
パネル支持装置は、支柱に固定されるベース金具と、パネルの下端角部を挟み込んだ状態でベース金具に取り付けられるカバープレートとを備え、ベース金具は、ベース金具を支柱に固定する固定部と、前記パネルの下端角部の裏面が当接する第１当接面と前記パネルの下端角部の垂直方向の端面が当接する凸部とを備え、カバープレートは、前記周縁部の表面が当接する第２の当接面を備え、ベース金具とカバープレートとの下端にはパネルの下端に当接しパネルの自重を受けるプレート片が挟み込まれる第２支持金具と、
支柱に固定されるベース金具と、パネルの上端角部を挟み込んだ状態でベース金具に取り付けられるカバープレートとを備え、ベース金具は、ベース金具を支柱に固定する固定部と、前記パネルの上端角部の裏面が当接する第１当接面と前記パネルの上端角部の垂直方向の端面が当接する凸部とを備え、カバープレートは、前記周縁部の表面が当接する第２の当接面を備え、ベース金具とカバープレートとの上端にはパネルの上端に当接するプレート片が挟み込まれる第３支持金具とからなることを特徴とするパネル支持装置。
【請求項３】
前記固定部は支柱側に凸状に突出していることを特徴とする請求項１または２に記載のパネル支持装置。
【発明の詳細な説明】
【技術分野】
【０００１】
本発明は、建物のフェンスや仕切りなどを形成するガラスパネルなどのパネルを支持するパネル支持装置に関するものである。
【背景技術】
【０００２】
ガラスなどのパネルを支持するパネル支持装置が特許文献１に記載されている。特許文献１に記載のパネル支持装置は支柱に取り付けられており、パネルはパネル支持装置にねじ止めされる。パネル支持装置にはパネルをねじ止めするための取り付け孔が形成されるが、この取り付け孔を長孔としてパネルの取り付け位置の微調整を行う。
【先行技術文献】
【特許文献】
【０００３】
【特許文献１】特開２００９−１５０１９６号公報
【発明の概要】
【発明が解決しようとする課題】
【０００４】
特許文献１に記載のパネル支持装置では、パネルにはパネル支持装置にねじ止めするための貫通孔を形成しなければならない。パネルが合わせガラスなど複数枚のガラスで構成されている場合などでは、各々のガラスに貫通孔を形成しなければならない。さらに、パネルを取り付けるときに、パネルとパネル支持装置との位置合わせを行わなければならず手間が掛かる。
【０００５】
本発明の目的は、パネルの位置決めを容易に行うことができ、パネル支持装置が支持するパネルに貫通孔などの追加工を行わなくても支持することができるパネル支持装置を提供することである。
【課題を解決するための手段】
【０００６】
この課題を解決するために請求項１の発明は、隣接して設置される２枚のパネルの周縁部を支柱に支持するパネル支持装置であって、パネル支持装置は、支柱に固定されるベース金具と、パネルの垂直方向の周縁部を挟み込んだ状態でベース金具に取り付けられるカバープレートとを備え、ベース金具は、ベース金具を支柱に固定する固定部と、前記パネルの周縁部の裏面が当接する第１当接面と前記パネルの周縁部の垂直方向の端面が当接する凸部とを備え、カバープレートは、前記パネルの周縁部の表面が当接する第２当接面を備える第１支持金具と、支柱に固定されるベース金具と、パネルの下端角部を挟み込んだ状態でベース金具に取り付けられるカバープレートとを備え、ベース金具は、ベース金具を支柱に固定する固定部と、前記パネルの下端角部の裏面が当接する第１当接面と前記パネルの下端角部の垂直方向の端面が当接する凸部とを備え、カバープレートは、前記周縁部の表面が当接する第２の当接面を備え、ベース金具とカバープレートとの下端にはパネルの下端に当接しパネルの自重を受けるプレート片が挟み込まれる第２支持金具とからなることを特徴とするものである。
【０００７】
請求項２の発明は、隣接して設置される２枚のパネルの周縁部を支柱に支持するパネル支持装置であって、パネル支持装置は、支柱に固定されるベース金具と、パネルの下端角部を挟み込んだ状態でベース金具に取り付けられるカバープレートとを備え、ベース金具は、ベース金具を支柱に固定する固定部と、前記パネルの下端角部の裏面が当接する第１当接面と前記パネルの下端角部の垂直方向の端面が当接する凸部とを備え、カバープレートは、前記周縁部の表面が当接する第２の当接面を備え、ベース金具とカバープレートとの下端にはパネルの下端に当接しパネルの自重を受けるプレート片が挟み込まれる第２支持金具と、支柱に固定されるベース金具と、パネルの上端角部を挟み込んだ状態でベース金具に取り付けられるカバープレートとを備え、ベース金具は、ベース金具を支柱に固定する固定部と、前記パネルの上端角部の裏面が当接する第１当接面と前記パネルの上端角部の垂直方向の端面が当接する凸部とを備え、カバープレートは、前記周縁部の表面が当接する第３の当接面を備え、ベース金具とカバープレートとの上端にはパネルの上端に当接するプレート片が挟み込まれる第３支持金具とからなるものである。
【０００８】
請求項３の発明は、前記固定部が支柱側に凸状に突出しているものである。
【発明の効果】
【０００９】
請求項１記載の発明によれば、第２支持金具のプレート片がパネルの自重を受けた状態でパネルの下端に当接し、第２支持金具のベース金具に形成される凸部にパネルの下端角部の垂直方向の端面が当接し、第１支持金具のベース金具に形成される凸部にパネルの周縁部の垂直方向の端面が当接した状態で、ベース金具の第１当接面とカバープレートの第２当接面とでパネルを挟み込むので、パネルの位置決めを容易に行うことができ、パネル支持装置が支持するパネルに貫通孔などの追加工を行わなくても支持することができる。
【図面の簡単な説明】
【００１０】
【図１】第１の実施の形態に係るパネルが取り付けられた状態の斜視図である。
【図２】第１支持金具の部品構成を示す斜視図である。
【図３】第２支持金具の部品構成を示す斜視図である。
【図４】一方側から見たベース金具の斜視図である。
【図５】他方側から見たベース金具の斜視図である。
【図６】一方側から見たカバープレートの斜視図である。
【図７】他方側から見たカバープレートの斜視図である。
【図８】パネルの取り付け状態を示す正面図である。
【図９】第２の実施の形態に係るパネルが取り付けられた状態の斜視図である。
【図１０】第３支持金具の部品構成を示す斜視図である。
【図１１】パネルの取り付け状態を示す正面図である。
【発明を実施するための形態】
【００１１】
以下、本発明の第１の実施の形態について図１〜図８に基づいて説明する。支持金具１は、パネル２の垂直方向の周縁部を支持する第１支持金具３と、パネル２の下端角部を支持する第２支持金具４とを備え、支柱５にねじ止めされる。第１支持金具３は、支柱５にねじ止めされるベース金具６と、パネル２の周縁部をベース金具６との間に挟み込んでベース金具６にねじ止めされるカバープレート７とを備える。ベース金具６およびカバープレート７は一体成型された金属製である。
【００１２】
ベース金具６は、上下および左右が対称に形成される。ベース金具６は四角形の板状に形成されたプレート部８を備える。プレート部８の一方側の面には中央に凸状に突出した固定部である段付き部９が形成される。段付き部９はプレート部８の中央に細長に形成され、段付き部９の端面１０には貫通孔１１が形成される。貫通孔１１には、ベース金具６を支柱５にねじ止めする六角ボルトが挿通される。
プレート部８の他方側の面には、ベース金具６を支柱５にねじ止めする六角ボルトの頭部が収容される孔部１２が形成される。孔部１２は断面が六角形に形成され、六角ボルトの頭部が回り止めされた状態で係合される。孔部１２の上方および下方には垂直方向に細長な凸部１３，１３が形成される。凸部１３の端面１４にはカバープレート７をねじ止めするためのねじ孔１５が形成される。凸部１３の両側にはパネル２の裏面が当接する当接面１６が形成される。凸部１３の側面１７にはパネル２の端面が当接してパネル２が位置決めされる。凸部１３の孔部１２側の側面１８は、孔部１２に収容される六角ボルトの頭部が接触しないように、断面が六角形の孔部１２に沿ったＶ字型の凹状に形成されている。
【００１３】
カバープレート７は、上下および左右が対称に形成される。カバープレート７は四角形の板状に形成されたプレート部２１を備える。プレート部２１の一方側の面の中央には、垂直方向に細長な凸部２２が形成される。カバープレート７がベース金具６に取り付けられたとき、凸部２２はベース金具６に形成された２つの凸部１３，１３間に嵌め込まれる。このときＶ字の凸状に形成された垂直方向の両端にある側面２３，２３が、凸部１３のＶ字の凹状に形成された孔部１２側の側面１８，１８に係合する。これによってカバープレート７が水平方向および垂直方向にずれることが防止される。なお、凸部２２の水平方向の幅は、ベース金具６に形成される凸部１３，１３の水平方向の幅よりも多少幅狭に形成される。これによって、凸部１３，１３の側面１７，１７に当接するパネル２の端面が凸部２２の側面２４，２４に当接することが防止される。
【００１４】
水平方向の中央であって上端および下端にはプレート部２１から立ち上がる立ち上がり部２５，２５が形成される。立ち上がり部２５，２５は、カバープレート７がベース金具６にねじ止めされたときベース金具６の凸部１３を垂直方向に挟みこみ、カバープレート７が上下方向にずれることを防止するとともに、ベース金具６の凸部１３を覆って支持金具１の外観を美的に処理する。凸部２２の両側にはパネル２の表面が当接する当接面２６，２６が形成される。プレート部２１の他方側の面には、カバープレート７をベース金具６にねじ止めするための貫通孔２７が形成される。本実施の形態においては皿小ねじが用いられるので、貫通孔２７は座くりされる。
【００１５】
第２支持金具４は、第１支持金具３にプレート片２８を取り付けたものである。第２支持金具４の説明において、第１支持金具３と重複する部分については説明を省略し同一の参照符を用いる。プレート片２８は長方形に形成された金属製の板状である。ベース金具６の他方側の面とカバープレート７の一方側の面との上端および下端には、水平方向に細長な溝部２９，３０が形成されており、プレート片２８の端面が下端に位置する溝部２９，３０に嵌め込まれる。カバープレート７がベース金具６に取り付けられた状態では、プレート片２８はベース金具６とカバープレート７とに挟み込まれている。
【００１６】
パネル２が上方からベース金具６とカバープレート７との間に嵌め込まれると、パネル２の下端面がプレート片２８に当接する。プレート片２８は長方形に形成されており、プレート片２８の向きを変えることによって２つの異なる厚みのパネル２に対応することができる。さらに異なる形状のプレート片２８を複数枚用意することによって、３つ以上の異なる厚みのパネル２に対応することができる。第２支持金具４のベース金具６とカバープレート７とは、第１支持金具３のベース金具６とカバープレート７と同一形状とされ、製作コストの削減を図ることができる。
【００１７】
なお、第１支持金具３のベース金具６の当接面１６，１６および凸部１３，１３の側面１７，１７、第１支持金具３のカバープレート７の当接面２６，２６、第２支持金具４のベース金具６の当接面１６，１６および凸部１３，１３の側面１７，１７、第２支持金具４のカバープレート７の当接面２６，２６には緩衝用の樹脂が貼られる。
【００１８】
ここでパネル２の取り付け手順について説明する。まず、第２支持金具４のベース金具６を支柱５にねじ止めする。図示しないが、ベース金具６の孔部１２に六角ボルトを嵌め込んで、ベース金具６の一方側にボルトのねじ部を突出させる。このボルトを支柱５の貫通孔に挿通させ、支柱５の背面側からボルトのねじ部にナットを螺合させて、ベース金具６を支柱５にねじ止めする。このとき六角ボルトの頭部が孔部１２に嵌め込まれて回り止めされるので、作業者はボルトの頭部を軽く押さえてナットを螺合させることができる。
【００１９】
パネル２の厚みに合ったプレート片２８，２８を選び、該プレート片２８，２８の一端面をベース金具６の下端側溝部２９，２９に嵌め込む。プレート片２８，２８が嵌め込まれたベース金具６にカバープレート７を取り付ける。ベース金具６に嵌め込まれたプレート片２８，２８の他端面をカバープレート７の溝部３０，３０に嵌め込み、プレート片２８，２８をベース金具６とカバープレート７との間に挟み込む。さらにカバープレート７の凸部２２をベース金具６の凸部１３，１３の孔部１２側の側面１８，１８間に係合させる。このとき、カバープレート７の立ち上がり部２５，２５はベース金具６の凸部１３，１３を挟み込む。この状態でカバープレート７の貫通孔２７に皿小ねじ３１を挿通させて、カバープレート７をベース金具６に緩み状態でねじ止めする。
【００２０】
第２支持金具４の上方に第１支持金具３のべース金具６を取り付ける。第１支持金具３のべース金具６は第２支持金具４のベース金具６の取り付け手順と同様の手順で取り付けられる。ベース金具６の孔部１２に六角ボルトを嵌め込んで、ベース金具６の一方側にボルトのねじ部を突出させる。このボルトを支柱５の貫通孔に挿通させ、支柱５の背面側からボルトのねじ部にナットを螺合させて、ベース金具６を支柱５にねじ止めする。
【００２１】
この状態で、上方から第２支持金具４にパネル２を嵌め込む。パネル２の側面を凸部１３，１３の側面１７，１７に当接させた状態で、パネル２の底部端面をプレート片２８，２８に当接させる。さらにパネル２の裏面周縁部を第１支持金具３のべース金具６の当接面１６に当接させるとともに、パネル２の側面を凸部１３，１３の側面１７，１７に当接させる。これによってパネル２は水平方向および垂直方向に位置決めされる。図８は、この状態を示す。
【００２２】
第２支持金具４のベース金具６に緩み状態でねじ止めされている皿小ねじ３１を本締めしてカバープレート７を固定するとともに、第１支持金具３のべース金具６にカバープレート７を取り付ける。カバープレート７は、カバープレート７の凸部２２がベース金具６の凸部１３，１３の孔部１２側の側面１８，１８間に係合した状態で、貫通孔２７に皿小ねじ３１を挿通させてねじ止めされる。このとき、カバープレート７の立ち上がり部２５，２５はベース金具６の凸部１３，１３を挟み込んでいる。このようにしてパネル２が取り付けられる。
【００２３】
本実施の形態では、ベース金具６を支柱５に固定する六角ボルトの頭部が、支柱５側に凸状に突出した段付き部９に収容されるので、水平方向に隣接するパネル２間は凸部１３，１３の幅だけの狭い隙間を開けて設置することができる。また、第２支持金具４のプレート片２８がパネル２の自重を受けており、第１支持金具３の当接面１６，１６および２６，２６と第２支持金具４の当接面１６，１６および２６，２６とはパネル２の自重を受けていない。したがって、パネル２の自重を支えるために第１支持金具３の当接面１６，１６および２６，２６と第２支持金具４の当接面１６，１６および２６，２６とをパネル２にねじ止めすることなく、第１支持金具３および第２支持金具４の当接面１６，１６および２６，２６をパネル２に当接させて位置決めすることができる。
【００２４】
また、六角ボルトを用いてベース金具６を支柱５にねじ止めしているが、これに限定されるものではなく、たとえば六角孔付きボルトを用いることもできる。この場合には、ナットを螺合するときに、ボルト頭部の孔に六角レンチを差し込んでボルトを固定する必要がある。また、支柱５の後ろにスペースがない場合には、支柱５自体にねじを切って、支柱５の正面から直接六角孔付きボルトをねじ込んで、ベース金具を支柱に固定することができる。
【００２５】
次に第２の実施の形態について図９〜図１１に基づいて説明する。第１の実施の形態と重複する部分については説明を省略し同一の参照符を用いる。第２の実施の形態においては、図９に示すように、第２支持金具４がパネル２の下端角部の取り付けられ、第３支持金具１９がパネル２の上端角部に取り付けられる。
【００２６】
第３支持金具の部品構成を図１０に示す。第３支持金具１９は、第１支持金具３のベース金具６とカバープレート７との溝部２９，３０のうち上端に形成された溝部２９，３０にプレート片２８の端面が嵌め込まれたものである。第３支持金具１９を取り付ける場合には、第１の実施の形態で説明したように第２支持金具４のベース金具６を支柱５にねじ止めし、さらに第３支持金具１９のベース金具６を支柱５にねじ止めする。図１１はこの状態を示す。
【００２７】
次に、パネル２を挟み込んだ状態で第２支持金具４を本締めするとともに、第３支持金具１９のカバープレート７をベース金具６にねじ止めする。このとき、プレート片２８がパネル２の上端に当接させた状態でベース金具６とカバープレート７との上端の溝部２９，３０に嵌め込まれる。このようにしてパネル２が支柱５に固定される。この場合にはパネル２は、下端のみならず上端も支持されるので、パネル２が上方に位置ずれすることを防止することができる。
【００２８】
このように、隣接して設置される２枚のパネル２の周縁部を支柱５に支持するパネル支持装置１は、支柱５に固定されるベース金具６と、パネル２の垂直方向の周縁部を挟み込んだ状態でベース金具６に取り付けられるカバープレート７とを備え、ベース金具６は、ベース金具６を支柱５に固定する段付き部９と、パネル２の周縁部の裏面が当接する第１当接面である当接面１６，１６とパネル２の周縁部の垂直方向の端面が当接する凸部１３，１３とを備え、カバープレート７は、パネル２の周縁部の表面が当接する第２当接面である当接面２６，２６を備える第１支持金具３と、支柱５に固定されるベース金具６と、パネル２の下端角部を挟み込んだ状態でベース金具６に取り付けられるカバープレート７とを備え、ベース金具６は、ベース金具６を支柱５に固定する段付き部９と、パネル２の下端角部の裏面が当接する当接面１６，１６とパネル２の下端角部の垂直方向の端面が当接する凸部１３，１３とを備え、カバープレート７は、周縁部の表面が当接する当接面２６，２６を備え、ベース金具６とカバープレート７との下端にはパネル２の下端に当接しパネル２の自重を受けるプレート片２８，２８が挟み込まれる第２支持金具４とからなるので、第２支持金具４のプレート片２８，２８がパネル２の自重を受けた状態でパネル２の下端に当接し、第２支持金具４のベース金具６に形成される凸部１３，１３にパネル２の下端角部の垂直方向の端面が当接し、第１支持金具３のベース金具６に形成される凸部１３，１３にパネル２の周縁部の垂直方向の端面が当接した状態で、ベース金具６の当接面１６，１６とカバープレート７の当接面２６，２６とでパネル２を挟み込むので、パネル２の位置決めを容易に行うことができ、パネル支持装置１が支持するパネル２に貫通孔などの追加工を行わなくても支持することができる。
【００２９】
さらに、隣接して設置される２枚のパネル２の周縁部を支柱５に支持するパネル支持装置１は、支柱５に固定されるベース金具６と、パネル２の下端角部を挟み込んだ状態でベース金具６に取り付けられるカバープレート７とを備え、ベース金具６は、ベース金具６を支柱５に固定する段付き部９と、パネル２の下端角部の裏面が当接する当接面１６，１６とパネル２の下端角部の垂直方向の端面が当接する凸部１３，１３とを備え、カバープレート７は、周縁部の表面が当接する当接面２６，２６を備え、ベース金具６とカバープレート７との下端にはパネル２の下端に当接しパネル２の自重を受けるプレート片２８，２８が挟み込まれる第２支持金具４と、支柱５に固定されるベース金具６と、パネル２の上端角部を挟み込んだ状態でベース金具６に取り付けられるカバープレート７とを備え、ベース金具６は、ベース金具６を支柱５に固定する段付き部９と、パネル２の上端角部の裏面が当接する当接面１６，１６とパネル２の上端角部の垂直方向の端面が当接する凸部１３，１３とを備え、カバープレート７は、周縁部の表面が当接する当接面２６，２６を備え、ベース金具６とカバープレート７との上端にはパネル２の上端に当接するプレート片２８，２８が挟み込まれる第３支持金具１９とからなるので、第２支持金具４のプレート片２８，２８がパネル２の自重を受けた状態でパネル２の下端に当接し、第２支持金具４のベース金具６に形成される凸部１３，１３にパネル２の下端角部の垂直方向の端面が当接し、第３支持金具１９のベース金具６に形成される凸部１３，１３にパネル２の周縁部の垂直方向の端面が当接した状態で、第３支持金具１９のベース金具６の当接面１６，１６とカバープレート７の当接面２６，２６とでパネル２を挟み込み、第３支持金具１９のプレート片２８，２８がパネル２の上端に当接するので、パネル２の位置決めを容易に行うことができ、パネル支持装置１が支持するパネル２に貫通孔などの追加工を行わなくても支持することができ、さらに、パネル２が上方に位置ずれすることを防止することができる。
【００３０】
さらに、段付き部９は支柱５側に凸状に突出しているので、隣接する２つのパネル２の端面が当接する凸部１３，１３の幅を狭くして、隣接する２つのパネル２間の隙間を狭くすることができる。
【符号の説明】
【００３１】
１    パネル支持装置
２    パネル
３    第１支持金具
４    第２支持金具
５    支柱
６    ベース金具
７    カバープレート
８，２１    プレート部
９    段付き部
１０，１４    端面
１１，２７    貫通孔
１２    孔部
１３，２２    凸部
１５    ねじ孔
１６，２６    当接面
１７，１８，２３，２４    側面
１９    第３支持金具
２５    立ち上がり部
２８    プレート片
２９，３０    溝部
３１    皿小ねじ
【図１】
0005701132.tif 000002
【図２】
0005701132.tif 000003
【図３】
0005701132.tif 000004
【図４】
0005701132.tif 000005
【図５】
0005701132.tif 000006
【図６】
0005701132.tif 000007
【図７】
0005701132.tif 000008
【図８】
0005701132.tif 000009
【図９】
0005701132.tif 000010
【図１０】
0005701132.tif 000011
【図１１】
0005701132.tif 000012